(57)【要約】【課題】テープが巻き付けられたコルゲートチューブを確実に保持することが可能な保持具を提供する。【解決手段】電線３３が挿通されるとともに外周にテープ２４が巻き付けられたコルゲートチューブ３０を保持する保持具１０であって、テープ２４が巻き付けられたコルゲートチューブ３０を挟み込む一対の挟持部材１１，１２を備え、各挟持部材１１，１２のうち、コルゲートチューブ３０の外周面に対向する対向面１４Ａ，１４Ｂには、周方向に延びコルゲートチューブ３０の外周面における溝部３２に嵌まり込む突条１５Ａ，１５Ｂが形成されており、この突条１５Ａ，１５Ｂには、保持具１０を回転させることによりテープ２４を切断する切断刃１８が設けられている。【選択図】図１２
2012229779.tif 000002
【特許請求の範囲】
【請求項１】
電線が挿通されるとともに外周にテープが巻き付けられたコルゲートチューブを保持する保持具であって、
前記テープが巻き付けられたコルゲートチューブを挟み込む一対の挟持部材を備え、
前記一対の挟持部材のうち、前記コルゲートチューブの外周面に対向する対向面には、周方向に延び前記コルゲートチューブの外周面の溝部に嵌まり込む突条が形成されており、この突条には、前記保持具を回転させることにより前記テープを切断する切断刃が設けられている保持具。
【請求項２】
前記切断刃は、先端が先細状に尖った形状であることを特徴とする請求項１記載の保持具。
【請求項３】
前記切断刃が設けられた突条は、前記対向面の底部に形成されていることを特徴とする請求項２記載の保持具。
【請求項４】
前記突条は、前記挟持部材に複数形成されていることを特徴とする請求項１ないし請求項３のいずれか一項に記載の保持具。
【請求項５】
前記突条は、周方向に短い長さの短尺突条と、前記短尺突条よりも周方向に長い長尺突条とからなることを特徴とする請求項１ないし請求項４のいずれか一項に記載の保持具。
【請求項６】
前記突条は、前記対向面の周方向における全体に亘って形成されており、前記切断刃は前記突条の周方向における全体に亘って形成されていることを特徴とする請求項１ないし請求項５のいずれか一項に記載の保持具。
【請求項７】
前記一対の挟持部材のうちの一方には被係止部が設けられるとともに他方には前記コルゲートチューブを挟み込んだ状態で前記被係止部に係止する係止部が設けられており、
前記被係止部が前記係止部に係止された状態で前記保持具を回転させることで前記テープが切断可能とされていることを特徴とする請求項１ないし請求項６のいずれか一項に記載の保持具。
【請求項８】
前記一対の挟持部材は、可撓性を有するヒンジ部により接続されていることを特徴とする請求項１ないし請求項７のいずれか一項に記載の保持具。
【発明の詳細な説明】
【技術分野】
【０００１】
本発明は、保持具に関する。
【背景技術】
【０００２】
従来、車両に配策されるワイヤーハーネスを所定位置に保持する保持具が知られている。
この種の保持具は、特許文献１に示すように、半円弧状の取付け部材と、この取付け部材にヒンジ部を介して開閉可能に接続された半円弧状の保持部材とを備えている。この保持具が保持するワイヤーハーネスは、コルゲートチューブ（同文献図３）に電線が挿通されており、コルゲートチューブを取付け部材と保持部材とで挟み込んで所定位置に保持するようになっている。
【０００３】
ここで、取付け部材と保持部材の内面には、コルゲートチューブの外周面の溝部に対応したリブが設けられており、このリブがコルゲートチューブの外面の溝部に嵌まり込むことで軸方向における滑り止めがされている。
【先行技術文献】
【特許文献】
【０００４】
【特許文献１】実開平６−４３３０９号公報
【発明の概要】
【発明が解決しようとする課題】
【０００５】
ところで、電線をコルゲートチューブへ挿通するに際しては、例えば、コルゲートチューブの延出方向に延びる一本のスリット状の切れ目を設け、この切れ目を開いてコルゲートチューブ内に電線を挿通することができる。この場合、電線の切れ目からの離脱や防水等のためにコルゲートチューブの外周にテープが巻き付けられる。
【０００６】
ここで、このようなテープが巻き付けられたコルゲートチューブに特許文献１のような保持具を装着する場合には、テープを巻き付けた状態のコルゲートチューブを取付け部材及び保持部材によって挟み込むことになる。しかしながら、このようにコルゲートチューブにテープが巻き付けられていると、このテープのために取付け部材や保持部材の内面に形成されたリブをコルゲートチューブの外周面の溝部に十分に嵌め込むことができず、コルゲートチューブの軸方向における滑り止めが十分になされないことが懸念される。なお、コルゲートチューブのうち、保持具を装着する部分についてはテープを巻き付けないことも考えられるが、この場合、テープの切断や再巻き付け等の作業が必要になり作業工数が多くなるため望ましくない。
【０００７】
本発明は上記のような事情に基づいて完成されたものであって、テープが巻き付けられたコルゲートチューブを確実に保持することが可能な保持具を提供することを目的とする。
【課題を解決するための手段】
【０００８】
本発明は、電線が挿通されるとともに外周にテープが巻き付けられたコルゲートチューブを保持する保持具であって、前記テープが巻き付けられたコルゲートチューブを挟み込む一対の挟持部材を備え、前記一対の挟持部材のうち、前記コルゲートチューブの外周面に対向する対向面には、周方向に延び前記コルゲートチューブの外周面の溝部に嵌まり込む突条が形成されており、この突条には、前記保持具を回転させることにより前記テープを切断する切断刃が設けられているところに特徴を有する。
【０００９】
本構成によれば、保持具を回転させた際に切断刃がテープを切断することにより突条を溝部におけるテープの内側まで嵌め込むことができる。これにより、コルゲートチューブにテープが巻き付けられた状態であっても、コルゲートチューブを保持具で確実に保持することができる。
【００１０】
本発明の実施の態様として、以下の構成が好ましい。
前記切断刃は、先端が先細状に尖った形状である。
このようにすれば、挟持部材で挟み込んだ際に、先細状に尖った先端でテープを突き破ることが容易になる。
【００１１】
前記切断刃が設けられた突条は、前記対向面の底部に形成されている。
このようにすれば、各挟持部材のうち、対向面の底部については、コルゲートチューブを一対の挟持部材で挟み込んだ際に強い力が生じやすいため、この底部に形成された突条の切断刃によりテープを突き破ることが容易になる。
【００１２】
前記突条は、前記挟持部材に複数形成されている。
このようにすれば、テープの切断が容易になる。
【００１３】
前記突条は、周方向に短い長さの短尺突条と、前記短尺突条よりも周方向に長い長尺突条とからなる。
このようにすれば、長尺突条については、その長さにより突条の強度が高くなるため、確実に軸方向におけるコルゲートチューブの位置決めをすることができる。また、短尺突条については、テープの切断を容易にすることができる。
【００１４】
前記突条は、前記対向面の周方向における全体に亘って形成されており、前記切断刃は前記突条の周方向における全体に亘って形成されている。
このようにすれば、保持具の回転角度を少なくしてテープを切断することが可能になる。
【００１５】
前記一対の挟持部材のうちの一方には被係止部が設けられるとともに他方には前記コルゲートチューブを挟み込んだ状態で前記被係止部に係止する係止部が設けられており、前記被係止部が前記係止部に係止された状態で前記保持具を回転させることで前記テープが切断可能とされている。
このようにすれば、保持具の回転の際に一対の挟持部材の位置を固定することができるため、テープの切断作業が容易になる。
【００１６】
前記一対の挟持部材は、可撓性を有するヒンジ部により接続されている。
このようにすれば、一対の挟持部材がヒンジ部により一体化されるため、作業性を向上させることができる。
【発明の効果】
【００１７】
本発明によれば、テープが巻き付けられたコルゲートチューブを確実に保持具で保持することが可能になる。
【図面の簡単な説明】
【００１８】
【図１】実施形態１の一対の挟持部材を開いた状態の保持具を示す斜視図
【図２】一対の挟持部材を開いた状態の保持具を示す平面図
【図３】一対の挟持部材を開いた状態の保持具を示す正面図
【図４】図２のＡ−Ａ断面図
【図５】図２のＢ−Ｂ断面図
【図６】一対の挟持部材を開いた状態の保持具を示す左側面図
【図７】一対の挟持部材を開いた状態の保持具を示す右側面図
【図８】一対の挟持部材を開いた状態の保持具を示す底面図
【図９】コルゲートチューブに保持具を装着した状態を示す図
【図１０】保持具を回転させた状態を示す図
【図１１】溝部に突条が嵌め込まれた状態を示す断面図
【図１２】図１１のＣーＣ断面図
【発明を実施するための形態】
【００１９】
＜実施形態１＞
以下、本発明を具体化した実施形態１の保持具１０について、図１〜図１２を参照しつつ説明する。
保持具１０は、図示しない自動車等の車両においてボディ等に取付けられるものであり、図９に示すように、電線３３が挿通されたコルゲートチューブ３０を保持する保持具１０である。以下では、上下方向及び左右方向については図３を基準とし、コルゲートチューブの延出方向（軸方向）を前後方向として説明する。
【００２０】
コルゲートチューブ３０は、図９に示すように、車両に配策されてワイヤーハーネスを構成する電線３３を外部の衝撃等から保護するために設けられており、合成樹脂製であって、蛇腹の円筒形状をなしている。そのため、コルゲートチューブ３０の外周面には、円環状の突部３１と円環状の溝部３２とがコルゲートチューブ３０の延出方向に交互に形成されている。
このコルゲートチューブ３０は、コルゲートチューブ３０を延出方向に分断するスリット状の一本の切れ目（図示しない）が形成されており、この切れ目からコルゲートチューブ３０を開いて電線３３（ワイヤーハーネス）を挿入できるようになっている。
【００２１】
また、コルゲートチューブ３０の外周には、コルゲートチューブ３０の外面が隠れる程度にテープ２４が巻き付けられており、コルゲートチューブ３０の切れ目が閉じた状態に（開かないように）保持したり、切れ目からの水の浸入を防止する等のために設けられている。そのため、本実施形態における保持具１０はテープ２４が巻き付けられたコルゲートチューブ３０をテープ２４の外側から挟んで装着するものである。
テープ２４は、例えば塩化ビニルからなる粘着テープであって、電線３３を挿通したコルゲートチューブ３０の外周に所定の長さ（少なくとも保持具１０が取付けられる部分を含んだ長さ）に亘って巻き付けられる。
【００２２】
保持具１０は、合成樹脂製であって、図１に示すように、コルゲートチューブ３０を挟み込む一対の挟持部材１１，１２と、肉薄に形成することで可撓性を生じさせて一対の挟持部材１１，１２間を接続するヒンジ部２９とを備えている。
左側（一方）の挟持部材１１は、円弧状に湾曲した円弧状部１３Ａと、円弧状部１３Ａの内面側に突出形成された突条１５Ａと、円弧状部１３Ａから延出された係合部２０とを備え、右側（他方）の挟持部材１２は、円弧状に湾曲した円弧状部１３Ｂと、板状湾曲部の内面側に突出形成された複数条の突条１５Ｂと、円弧状部１３Ｂから延出された被係合部２３とを備えている。
【００２３】
円弧状部１３Ａ，１３Ｂの内面側は、それぞれコルゲートチューブ３０の外周面に対向する対向面１４Ａ，１４Ｂであり、この対向面１４Ａ，１４Ｂから周方向に延びる突条１５Ａ，１５Ｂが突出している。
【００２４】
一方の対向面１４Ａの突条１５Ａは、円弧状部１３Ａの前後２箇所に設けられており、対向面１４Ａの底部（最も深い位置）に形成された短尺突条１６Ａと、短尺突条１６Ａの周方向の両側に設けられ短尺突条１６Ａよりも周方向に長く延びる長尺突条１７Ａとからなるとともに、他方の対向面１４Ｂの突条１５Ｂは、円弧状部１３Ｂの前後２箇所に設けられており、対向面１４Ｂの底部（最も深い位置）に形成された短尺突条１６Ｂと、短尺突条１６Ｂの周方向の両側に設けられ短尺突条１６Ｂよりも周方向に長く延びる長尺突条１７Ｂとからなる。これら突条１５Ａ，１５Ｂには、切断刃１８が形成されている。
【００２５】
各切断刃１８は、突条１５Ａ，１５Ｂの厚み（前後方向の径）を前後の両側から傾斜状に小さくすることで先端が尖った形状となるとともに、突条１５Ａ，１５Ｂの周方向の両端部については、傾斜状に切り欠かれて先端側が周方向に短くされている。そのため、短尺突条１６Ａ，１６Ｂの切断刃１８については、先端が先細状に尖った形状となっている。
円弧状部１３Ａの幅方向の中間部から左方は平坦な板状の平坦部１９とされている。なお、係合部２０側の長尺突条１７Ａについては、平坦部１９と円弧状部１３Ａの間に介設されており、この長尺突条１７Ａは、平坦部１９からコルゲートチューブ３０の溝部３２に嵌め込むことができる高さまで立ち上げられている。
【００２６】
係合部２０は、平坦部１９から面一に連なる板状延出部２１と、板状延出部２１の前後の端部から板状延出部２１と直交する方向に板状に突出する係止部２２とを備えている。
板状延出部２１は、板状延出部２１をＨ字状に貫通する貫通孔２１Ａと、板状延出部２１の左端部に設けられた位置決め凸部２１Ｂとを有している。
【００２７】
係止部２２は、前後一対設けられており、板状の係止片２２Ａと、係止片２２Ａの先端部から外方側に突出する係止爪２２Ｂとを有する。
係止片２２Ａは、先端側の厚みが薄くなるように外面側が切欠かれている。
係止爪２２Ｂは、係止片２２Ａから段差状に突出しており、先端側に向けて突出寸法が小さくなるように外面側に傾斜面を有し係止片２２Ａの先端部の傾斜面に連なる。
【００２８】
被係合部２３は、肉厚の樹脂を貫通する貫通孔２４と、貫通孔２４に挿通されて車両に取付けられる図示しない取付部材を係止して固定するための固定片２５（図４参照）と、被係合部２３の前後の端部に形成された被係止枠２６（本発明の構成である「被係止部」の一例）と、係合部２０の位置決め凸部２１Ｂに嵌合する位置決め凹部２７とを備えている。
【００２９】
貫通孔２４は、上端がＨ字状に開口している。
固定片２５は、図４に示すように、撓み変形可能であって、貫通孔２４に連なる内面側に内方に突出する突部２５Ａを形成したものである。
被係止枠２６は、図２に示すように、係止部２２を挿通可能な大きさの開口部２６Ａを有しており、一対の挟持部材１１，１２がコルゲートチューブ３０を挟み込んだ際に、係止部２２が被係止枠２６に挿通されると、係止爪２２Ｂが被係止枠２６の縁部に係止されて一対の挟持部材１１，１２がコルゲートチューブ３０を挟み込んだ状態に保持される。
【００３０】
次に、保持具１０の取付けについて説明する。
まず、作業者は、コルゲートチューブ３０を切れ目から開き、この切れ目の部分から電線３３を通して切れ目を閉じる。そして、切れ目を閉じた状態でコルゲートチューブ３０の外周にテープ２４を巻き付けていく。
そして、コルゲートチューブ３０にテープ２４を巻き付けた後に、テープ２４が巻き付けられたコルゲートチューブ３０を保持具１０の一対の挟持部材１１，１２で挟み込む。
【００３１】
そして、保持具１０の係止部２２を被係止枠２６に通していくと、位置決め凸部２１Ｂが位置決め凹部２７に嵌合し、更に係止部２２を通すと係止部２２の係止爪２２Ｂが被係止枠２６の縁部に係止されて係合部２０と被係合部２３が係合した状態に保持される（図９）。
【００３２】
このとき、突条１５Ａ，１５Ｂの切断刃１８は、コルゲートチューブ３０の溝部３２の上を通るテープ２４に当接してテープ２４を溝部３２側に押しつけており、テープ２４を十分には切断するには至らないがテープ２４を突条１５Ａ，１５Ｂとともに若干溝部３２内に押し込んでいる。
【００３３】
次に、作業者は、図１０に示すように、保持具１０をコルゲートチューブ３０を中心として回転させる。この回転角度は、テープ２４の強度等に応じて切断刃１８がテープ２４を切断可能な程度の角度であり、例えば、２７０度回転させる。
これにより、コルゲートチューブ３０の外周面のうち、溝部３２の上を通るテープ２４が切断刃１８により切断され（図１１）、挟持部材１１，１２の突条１５Ａ，１５Ｂがコルゲートチューブ３０の溝部３２に嵌まり込み（図１２）、軸方向についてコルゲートチューブ３０と保持具１０との間が位置決めされる。
そして、図示しない車両に固定される取付部材を貫通孔２１Ａ，２４に通すとともに固定片２５の突部２５Ａに係止させることで保持具１０の取付部材からの離脱を規制しつつ車両に固定する。
【００３４】
本実施形態によれば、以下の効果を奏する。
（１）保持具１０は、テープ２４が巻き付けられたコルゲートチューブ３０を挟み込む一対の挟持部材１１，１２を備え、一対の挟持部材１１，１２のうち、コルゲートチューブ３０の外周面に対向する対向面１４Ａ，１４Ｂには、周方向に延びコルゲートチューブ３０の外周面の溝部３２に嵌まり込む突条１５Ａ，１５Ｂが形成されており、この突条１５Ａ，１５Ｂには、保持具１０を回転させることによりテープ２４を切断する切断刃１８が設けられている。
このように、本実施形態によれば、保持具１０を回転させた際に切断刃１８がテープ２４を切断することにより突条１５Ａ，１５Ｂを溝部３２におけるテープ２４の内側まで嵌め込むことができる。これにより、コルゲートチューブ３０にテープ２４が巻き付けられた状態であっても、コルゲートチューブ３０を保持具１０で確実に保持することができる。
【００３５】
（２）短尺突条１６Ａ，１６Ｂの切断刃１８は、先端が先細状に尖った形状であるため、挟持部材１１，１２で挟み込んだ際に、先細状に尖った先端でテープ２４を突き破ることが容易になる。
（３）切断刃１８が設けられた短尺突条１６Ａ，１６Ｂ（突条１５Ａ，１５Ｂ）は、対向面１４Ａ，１４Ｂの底部に形成されているため、各挟持部材１１，１２のうち、対向面１４Ａ，１４Ｂの底部については、コルゲートチューブ３０を一対の挟持部材１１，１２で挟み込んだ際に強い力が生じやすく、この底部に形成された短尺突条１６Ａ，１６Ｂの切断刃１８によりテープ２４を突き破ることが容易になる。
【００３６】
（４）突条１５Ａ，１５Ｂは、各挟持部材１１，１２に複数形成されているため、テープ２４の切断が容易になる。
（５）突条１５Ａ，１５Ｂは、周方向に短い長さの短尺突条１６Ａ，１６Ｂと、短尺突条１６Ａ，１６Ｂよりも周方向に長い長尺突条１７Ａ，１７Ｂとからなるため、長尺突条１７Ａ，１７Ｂについては、その長さにより突条１５Ａ，１５Ｂの強度が高くなり、確実に軸方向におけるコルゲートチューブ３０の位置決めをすることができる。また、短尺突条１６Ａ，１６Ｂについては、テープ２４の切断を容易にすることができる。
【００３７】
（６）突条１５Ａ，１５Ｂは、対向面１４Ａ，１４Ｂの周方向における全体に亘って形成されており、切断刃１８は突条１５Ａ，１５Ｂの周方向における全体に亘って形成されているため、保持具１０の回転角度を少なくしてテープ２４を切断することが可能になる。
（７）一対の挟持部材１１，１２のうちの一方には被係止部２２が設けられるとともに他方にはコルゲートチューブ３０を挟み込んだ状態で被係止部２２に係止する係止部２２が設けられており、被係止部２２が係止部２２に係止された状態で保持具１０を回転させることでテープ２４が切断可能とされている。
このようにすれば、保持具１０の回転の際に一対の挟持部材１１，１２の相対的位置を固定することが可能になるため、テープ２４の切断作業が容易になる。
【００３８】
（８）一対の挟持部材１１，１２は、可撓性を有するヒンジ部２９により接続されているため、一対の挟持部材１１，１２がヒンジ部２９により一体化され、作業性を向上させることができる。
【００３９】
＜他の実施形態＞
本発明は上記記述及び図面によって説明した実施形態に限定されるものではなく、例えば次のような実施形態も本発明の技術的範囲に含まれる。
（１）上記実施形態では、前後２箇所に所定間隔を空けて突条１５Ａ，１５Ｂを設けることとしたが、これに限られず、１箇所又は３箇所以上の突条１５Ａ，１５Ｂを設けるようにしてもよい。また、例えば、コルゲートチューブ３０の前後に連続する複数の溝部３２に嵌まり込む（複数の）突条１５Ａ，１５Ｂを設けるようにしてもよい。
【００４０】
（２）上記実施形態では、突条１５Ａ，１５Ｂは、コルゲートチューブ３０の溝部３２の全周に対応するように設けたが、全周に亘って設けられなくてもよい。例えば、周方向に所定の範囲（角度）に突条を設けるようにしてもよい。また、例えば、突条１５Ａ，１５Ｂのうち、短尺突条１６Ａ，１６Ｂのみを１つ設けるようにしてもよい。このようにしても、保持具１０を所定角度回転させることにより、溝部３２の全周に亘ってテープ２４を切断することができる。また、一対の挟持部材１１，１２の一方にのみ突条を設けるようにしてもよい。
【００４１】
（３）上記実施形態では、一対の挟持部材１１，１２は、可撓性を有するヒンジ部２９で接続されて一体化されていたが、ヒンジ部２９を有さず、一対の挟持部材１１，１２が分離されていてもよい。
【符号の説明】
【００４２】
１０…保持具
１１，１２…挟持部材
１３Ａ，１３Ｂ…円弧状部
１４Ａ，１４Ｂ…対向面
１５Ａ，１５Ｂ…突条
１６Ａ，１６Ｂ…短尺突条
１７Ａ，１７Ｂ…長尺突条
１８…切断刃
２０…係合部
２１Ａ…貫通孔
２２…係止部
２２Ａ…係止片
２２Ｂ…係止爪
２３…被係合部
２４…テープ
２６…被係止枠（被係止部）
２９…ヒンジ部
３０…コルゲートチューブ
３１…突部
３２…溝部
３３…電線
【図１】
2012229779.tif 000003
【図２】
2012229779.tif 000004
【図３】
2012229779.tif 000005
【図４】
2012229779.tif 000006
【図５】
2012229779.tif 000007
【図６】
2012229779.tif 000008
【図７】
2012229779.tif 000009
【図８】
2012229779.tif 000010
【図９】
2012229779.tif 000011
【図１０】
2012229779.tif 000012
【図１１】
2012229779.tif 000013
【図１２】
2012229779.tif 000014